(57)【要約】      （修正有）【課題】生木を使わず、ツリーの表面形状を任意に変更することが出来るツリー構造を提供する。【解決手段】支柱２と底面部材３とから成り、底面部材３はワイヤ１１を固定できる取り付け部を持った２つの円環部材４ａ、４ｂと、支柱２の上部付近に設置する固定部材５とから構成され、ワイヤ１１を円環部材４ａ、４ｂと固定部材５との間に固定する際、円環部材４ａ、４ｂ上に設置したワイヤ取付部を任意に選択することで、ツリーの表面形状に凹凸を形成することが出来る。【選択図】図１
2013150760.tif 000002
【特許請求の範囲】
【請求項１】
中心に立設された支柱と、支柱の下側に配設され、支柱に対して略垂直となるよう配設された底面部材と、支柱上端付近に設置し、底面部材との間にワイヤを固定するための固定部材と、ワイヤ上に配設され、錐体状の外観を形成する被覆部材とから成るツリー構造において、底面部材がリング状の第一円環部材と、第一円環部材よりも小さく、第一円環部材の内側に配設されるリング状の第二円環部材で構成され、第一及び第二円環部材上に間隔をあけてワイヤ取付部を配設し、固定部材とワイヤ取付部とをワイヤで固定する際、第一及び第二円環部材上のワイヤ取付部から任意に選んだワイヤ取付部と固定部材とをワイヤで固定することを特徴とするツリー構造。
【請求項２】
底面部材の下側にキャスタが設置されていることを特徴とする請求項１に記載のツリー構造。
【請求項３】
支柱の高さを調整可能な伸長調節構造が設置されていることを特徴とする請求項１に記載のツリー構造。
【請求項４】
支柱の途中に単数又は複数の第三円環部材配設することを特徴とする請求項１に記載のツリー構造。
【請求項５】
支柱の途中に、単数又は複数の棒状突起を、支柱と被覆部材との間に配設することを特徴とする請求項１に記載のツリー構造。
【請求項６】
固定部材が円形状で、外周に沿って複数の穴が形成されていることを特徴とする請求項１に記載のツリー構造。
【請求項７】
被覆部材にネット状のシートや布状のシート、スポンジ状のシートを使用することを特徴とする請求項１に記載のツリー構造。
【請求項８】
被覆部材を複数枚重ねて配置することを特徴とする請求項１に記載のツリー構造。
【請求項９】
被覆部材の一部に絞り部を形成することを特徴とする請求項１に記載のツリー構造。
【請求項１０】
被覆部材の内側に収納等が可能な内部空間を形成することを特徴とする請求項１に記載のツリー構造。
【請求項１１】
被覆部材によって形成される内部空間に、蒸気（ミスト）発生器、ガス発生器、を設置し、冷気や水蒸気が被覆部材表面に沿って下降又は上昇していくことを特徴とする請求項１０に記載のツリー構造。
【請求項１２】
被覆部材によって形成される内部空間に、温度調節機または温風発生器を設置することを特徴とする請求項１０に記載のツリー構造。
【請求項１３】
被覆部材によって形成される内部空間に、匂い発生器を設置し、ツリー全体から特定の匂いを拡散することを特徴とする請求項１０に記載のツリー構造。
【請求項１４】
被覆部材によって形成される内部空間に、光源を設置し、被覆部材の一部に窓を形成、もしくは光を有る程度透過する被覆部材を用い、内部に設置した光源から被覆部材の内面に光を照射することを特徴とする請求項１０に記載のツリー構造。
【発明の詳細な説明】
【技術分野】
【０００１】  本発明は、装飾装置に関し、特に、ツリー構造を有する装飾装置に関するものである。
【背景技術】
【０００２】  従来より、クリスマスツリーのように、室内外に設置されるツリー型の装飾装置は知られており、生木のモミの木の枝部分にオーナメント等の装飾品や電球等を飾り付けることは広く知られている。
生木そのものを使用しなくても、円錐形の外枠を形成し、その表面部分にイルミネーションを配設する構造は特許文献１や特許文献２に示されている。
【先行技術文献】
【特許文献】
【０００３】
【特許文献１】  特開２０１１−１０３９７５号公報
【特許文献２】  特開２０１１−０８３５６１号公報
【発明の概要】
【発明が解決しようとする課題】
【０００４】  従来、生木を用いたツリーの場合、ある程度の大きさを必要とするため、調達するのに時間や費用を必要とし、また、搬入・搬出などの後始末にも手間を必要とした。
また、特許文献１、２のような装飾装置は、生木そのものを調達する必要は無いが、円錐状の表面のみしかないため、表面積は円錐形を基本構造とするため外観上変化が無く、美観に乏しく、表面においてしかイルミネーション装着を施すことができないため、装飾が出来る面積が乏しいという問題があった。【０００５】  本願発明は、従前の上述の如き問題、即ち、生木を使用する場合は、装飾が可能な大きさの生木を調達する必要があり、また装飾装置を使用する場合に、外観の変化に欠しく、イルミネーションを施すための多様な面を擁しないという問題を解決し、生木自体を調達する必要が無く、イルミネーションを設置する面積を既存製品では自由に変更することが不可能であるのに対して、自由にかつ、容易に変更することが出来る装飾装置を提供するものであり、ツリー内部に装飾や植物育成に関わる道具立てや装置を配することができる特徴を有する。
【課題を解決するための手段】
【０００６】  請求項１に記載の発明は、中心に立設された支柱と、支柱の下側に配設され、支柱に対して略垂直となるよう配設された底面部材と、支柱上端付近に設置し、底面部材との間にワイヤを固定するための固定部材と、ワイヤ上に配設され、錐体状の外観を形成する被覆部材とから成るツリー構造において、底面部材がリング状の第一円環部材と、第一円環部材よりも小さく、第一円環部材の内側に配設されるリング状の第二円環部材で構成され、第一及び第二円環部材上に間隔をあけてワイヤ取付部を配設し、固定部材とワイヤ取付部とをワイヤで固定する際、第一及び第二円環部材上のワイヤ取付部から任意に選んだワイヤ取付部と固定部材とをワイヤで固定することを特徴とするツリー構造である。
請求項２に記載の発明は、底面部材の下側にキャスタが設置されていることを特徴とするツリー構造である。
請求項３に記載の発明は、支柱の高さを調整可能な伸長調節構造が設置されていることを特徴とするツリー構造である。
請求項４に記載の発明は、支柱の途中に、単数あるいは複数の円環部材を配設することを特徴とするツリー構造である。
請求項５に記載の発明は、支柱の途中に、単数あるいは複数の棒状突起を、支柱と被覆部材との間に配設することを特徴とするツリー構造である。
請求項６に記載の発明は、固定部材が円形状で、外周に沿って複数の穴が形成されていることを特徴とするツリー構造である。
請求項７に記載の発明は、被覆部材にネット状のシートや布状のシート、スポンジ状のシートを使用することを特徴とするツリー構造である。
請求項８に記載の発明は、被覆部材を複数枚重ねて配置することを特徴とするツリー構造である。
請求項９に記載の発明は、被覆部材の一部に絞り部を形成することを特徴とするツリー構造である。
請求項１０に記載の発明は、被覆部材の内側に内部空間を形成することを特徴とするツリー構造である。
請求項１１に記載の発明は、被覆部材によって形成される内部空間に、蒸気（ミスト）発生器、ガス発生器、を設置し、冷気や水蒸気が被覆部材表面に沿って下降又は上昇していくこと特徴とするツリー構造である。
請求項１２に記載の発明は、被覆部材によって形成される錐形体の内部に、温度調節機（ヒータ・クーラ）または、温風発生器、ツリー全体を温度調整と癒しの対象にすることを特徴とするツリー構造である。
請求項１３に記載の発明は被覆部材によって形成される内部空間に、匂い発生器を設置し、ツリー全体から特定の匂いを拡散することを特徴とするツリー構造である。
請求項１４に記載の発明は、被覆部材によって形成される内部空間に、光源を設置し、被覆部材の一部に窓を形成、もしくは光を有る程度透過する被覆部材を用い、内部に設置した光源から被覆部材の内面に光を照射することを特徴とするツリー構造である。
【発明の効果】
【０００７】  本願請求項１の発明においては、ツリー構造の外観を形成するワイヤの取り付けにおいて、第一円環部材と第二円環部材に配設されているワイヤ取付部を任意に選択することで、外観の形状を任意の形状にする事が出来る。例えば、第一円環部材のワイヤ取付部のみを選択した場合は、円錐状の外観を形成することができ、第一円環部材と第二円環部材のワイヤ取付部を交互に選択すると、ワイヤ部分で被覆部材を折山と折谷とすることができ、表面に凹凸を形成することができる。【０００８】  請求項２の発明においては、ツリーの底面にキャスタを設置するため、そのままの状態で移動することが出来る。【０００９】  請求項３の発明においては、伸長調節構造によって、支柱の高さを自在に変更することが出来るので、屋内等で使用する場合でも、天井に接しないように調整する事が出来る。【００１０】  請求項４の発明においては、支柱を高く設置することで、ワイヤが被覆部材や装飾品等の重さによって撓んでも、途中で第三円環部材を配設することで、錐体構造を保持することが出来る。【００１１】  請求項５の発明においては、請求項４のような円環部材ではなく、棒状突起を支柱に取り付け、先端部にワイヤを支持固定する円環部又は鉤部を形成することで、錐体構造を形成するワイヤの位置を棒状突起の長さや位置を変えることができ、それによって被覆部材の外観を変更することが出来る。例えば、任意の場所に突起部を形成したり、または窪み部を形成することが出来る。複数の棒状突起を使用することで、被覆部材の表面形状を千差万別に変化させることができる。【００１２】  請求項６の発明においては、ワイヤの接続部分を円周上に複数形成しておく事で、底面部材から伸ばしたワイヤを固定し易く出来る。【００１３】  請求項７の発明においては、被覆部材として使用するシートをネット状や布状にすると、装飾品を設置しやすく、布状であれば、特定の場所のみに穴を空けて窓を形成したり、生花等を飾るためのホルダを設置することが出来る。スポンジ状にすると、シート部分で水分を保持することが出来るため、シート部に生花等を装飾しても、長期間保持することが出来る。また、内部にミスト機や加湿器を設置することで水分を保持することが出来る。【００１４】  請求項８の発明においては、種類や寸法の違う複数の被覆部材を重ねて配置することによって、ツリー表面にヒダ状構造の他、様々な模様や色彩を出すことができ、また、被覆部材に予め装飾を施しておくことで、容易に飾り付け等を行う事が出来る。【００１５】  請求項９の発明においては、錐体構造の中間部の一部を絞り部材で支柱方向に縮径して絞り部を形成することで、錐体構造の外観に変化をつけることが出来る。複数の絞り部材を使用する事で、錐体構造の途中部分に複数の段差を形成し、多重の塔のような外観を形成することが出来る。【００１６】  請求項１０の発明においては、ワイヤ上に被覆部材を配置することで、ワイヤ内側には空間を形成することが出来るため、ツリーに必要な部品や装飾品等をまとめて保管したり、ツリーに施した仕掛け等を内部に隠しておくことも出来る。【００１７】  請求項１１の発明においては、支柱上部や底面部材部分から蒸気発生器からだ��蒸気（ミスト）やドライアイスから出るガス等を、ツリー表面に纏わせることで、幻想的な雰囲気を醸し出す事が出来る。【００１８】  請求項１２の発明においては、ツリー内部にヒータやクーラを設置することで、被覆部材上に装飾する生花に対して開花を促すことや花もち促進効果が期待できる。【００１９】  請求項１３の発明においては、ツリー内部から好みの匂いを漂わせることで、装飾に使う素材の効果を補填すると共に、好ましい室内環境を生み出すことが出来る。【００２０】  請求項１４の発明においては、ツリーの表面に装着した布状やスポンジ状の被覆部材に、自由な位置に窓を設け、内部に装着された光源からの発光を、窓を通して鑑賞することができる仕組を持つことが出来る。また、内部の発光装置からの光を被覆する布に照射し、デザインした文字や模様を鑑賞することが出来る。形成した窓には、生花などを装飾できるよう花瓶状の器を供することが出来る。
【図面の簡単な説明】
【００２１】
【図１】  本発明によるツリー構造の正面図である。
【図２】  支柱下部（伸長調整構造）の拡大図である。
【図３】  底面部材の形状を表す図である。
【図４】  支柱上端に配設する固定部材の図である。
【図５】  被覆部材による錐体表面の変形例を表す図である。
【図６】  第三円環部材の固定構造を表す図である。
【図７】  棒状突起の使用状況を表す図である。
【図８】  絞り部材を用いた錐体表面の変形例を表す図である。
【図９】  ツリー構造の断面図である。
【図１０】  ホルダとその取付方法を示した一例を表す図である。
【発明を実施するための形態】
【００２２】  以下、図面に基づいて本発明の各実施形態を説明する。
図１は、本発明に係るツリー構造の全体図を表している。図２は、底面部材の形状を現す図、図３、は支柱下部に設けられた伸長調節構造の拡大図、図４は、支柱上端に配設する固定部材を現す図、図５は第三円環部材を使用した際の図、図６は、被覆部材の変形例を表す図、図７は棒状突起の使用状況を表す図、図８は、絞り部材を用いた錐体表面の変形例を表す図、図９、はツリー構造の断面図、図１０は、ホルダとその取り付け状態を記した一例を表す図、である。
【００２３】  上記図１乃至図１０において、１はツリー構造、２は支柱、３は底面部材、４ａは第一円環部材、４ｂは第二円環部材、４ｃ、４ｄは支持柱、４ｅは支柱台、５は固定部材、５ａ〜５ｎはワイヤ固定穴、６は被覆部材、７はキャスタ、８は伸長調節構造、８ａは筒部、９はボルト、１０はワイヤ取付部、１１はワイヤ、１２は第三円環部材、１３は支持柱、１４は棒固定台、１５は棒状突起、１６は絞り部、１７はヒータ、１８は冷気（蒸気）発生器、１９は配管、２０は内部空間、２１はノズル、２２はホルダ、２２ａは水受け部、２２ｂは鉤部、２３は被覆部材に形成した穴、である。
【００２４】  図１は、ツリー構造１全体を表す。底面部材３は、図２に示すように、第一円環部材４ａの内側に第二円環部材４ｂが、第一円環部材４ａと同一平面上に配置され、底面部材３の略中央部に支持台４ｅを配設している。第一円環部材４ａと第二円環部材４ｂとは支持柱４ｃで固定しており、また、第二円環部材４ｂと支柱台４ｅは支持柱４ｄで固定している。第一円環部材４ａと第二円環部材４ｂの上面には、それぞれに複数のワイヤ取付部１０が設置されている。ワイヤ取付部１０は、断面図にあるように、円環が形成された金具等の形状をしており、第一及び第二円環部材上に、上方に円環が来るように溶接やねじ込み等によって、円環部材上に固定する。ワイヤ取付部１０の形状については、実施例においては円環状としているが、ワイヤ１１を固定することが出来ればどのような構造でも良く、例えば円環の他に、鉤状のものでも良いし、第一円環部材４ａ及び第二円環部材４ｂ上に直接ワイヤ取付部１０が形成されていても良い。
【００２５】  支柱２は、前記支持台４ｅに立設している。前記支持台４ｅには、図３に示すような、伸長調節構造８が設置されている。支柱２が伸長調節構造８の筒部８ａに支柱が挿入した際、支柱２を任意の高さに調節した後、筒部の側面からボルト９を締付けることにより、支柱２は任意の高さで固定される。再び調整する時は、ボルト９を緩めて支柱２を再度調整し、位置が決まったらボルト９を再度締付ける。伸長調節構造８は、本実施例のようなボルトによる固定構造の他に、支柱２に任意の長さの延長部を継ぎ足す等、他の手段で調整することも出来る。また、伸長調節構造が不要であれば、取り付ける必要は無い。
【００２６】  図４に示すように、支柱２の上端付近に、支柱２と固定部材５の平面部が略垂直になるよう固定部材５が固定されている。固定部材５には、ワイヤ１１を固定することが出来るワイヤ固定穴５ａ〜５ｎが形成されている。ワイヤ固定穴５ａ〜５ｎは、本実施例では５ａ〜５ｈまで形成しているが、第一円環部材４ａ及び第二円環部材４ｂに固定するワイヤ取付部１０の数等によって、ワイヤ固定穴５ａ〜５ｎの数を変更することが出来る。
【００２７】  図５（ａ）のように、第一円環部材４ａ及び第二円環部材４ｂから選択したワイヤ取付部１０と前記ワイヤ固定穴５ａ〜５ｎとをワイヤ１１で繋いだ後、図５（ｂ）のように、ワイヤ１１を覆うように被覆部材６を配設することで、ツリー構造の外観を形成することが出来る。なお、ワイヤ１１は、金属製の線を束ねたものを使用しているが、ツリーのサイズや被覆部材等の重さが少ない場合等、状況によってナイロン糸やピアノ線のようなものを使用しても良い。また、第一円環部材４ａ及び第二円環部材４ｂから選択されるワイヤ取付部１０は、交互に選択する以外にも、どのような組み合わせで選択しても良い事は勿論である。
【００２８】  固定部材５は、支柱２に溶接で直接固定しても良いが、ボルト等を用いて固定しても良いし、支柱上端部にネジ部を構成し、固定部材５に支柱２へ固定するためのボルト部を構成して、支柱２のネジ部に固定部材５のボルト部をねじ込む構成であっても良い。
【００２９】  ワイヤ１１を、ワイヤ取付部１０とワイヤ固定穴５ａ〜５ｎに固定する時、底面部材３に取り付けるワイヤを、第一円環部材４ａに固定しているワイヤ取付部１０のみに取り付けた場合、ツリー構造の外観は、略円錐状を構成することになる。
【００３０】  また、第一円環部材４ａと第二円環部材４ｂに設置しているワイヤ取付部１０へ、任意に選択したワイヤ取付部１０にワイヤ１１を固定する事で、ツリー構造の外観は、単なる円錐状ではなく、表面に凹凸を形成した外観となる。
【００３１】  被覆部材６がワイヤ１１上に配置する時、支柱２が高いと、被覆部材６や装飾品の重さによってワイヤ１１が下方向に撓むため、外観上錐体形状を保つことが出来なくなる場合がある。そのため、図６で示すような、支柱２の中間部に第三円環部材１２を設置するようにしても良い。第三円環部材１２は、支持柱１３によって、支柱に固定される。第三円環部材１２を配置することによって、被覆部材６を第三円環部材にも固定することで、ワイヤが受けることになる被覆部材等の重さを有る程度受けることができ、またワイヤ１１を支持することで、ワイヤが下へ撓もうとするのを防止することが出来る。なお、第三円環部材１２は、実施例では円形としているが、第三円環部材１２は円形に限らず、方形で形成されていても良い。
【００３２】  支柱２の中間部に固定する部材を、第三円環部材１２の代わりに、図７（ａ）のように、単数または複数の棒状突起１５が配設された棒固定台１４を用いた構造でも良い。第三円環部材１２を使用した場合、第三円環部材１２の外側に被覆部材６が配設されることになるため、外観は円錐状となるが、棒状突起１５を用いた場合、被覆部材５の任意の位置のみを突出させることが出来るので、外観の形状を様々に変形させる事が出来る。図７（ｂ）は、棒状突起１５が単数の場合を表し、（ｃ）及び（ｄ）は、棒状突起１５が複数の場合を表している。棒状突起１５の数に制限は無く、必要に応じて棒固定台１４に取り付ければ良い。棒状突起１５の長さにも特に制限は無く、棒状突起１５を長くして被覆部材６を外側に突出する方向に変形させたり、棒状突起１５を短くして、被覆部材６を内側に引くことで、被覆部材６の表面に凹部を形成することも可能である。
【００３３】  また、図８のように、第三円環部材１２を固定した状態で被覆部材６を配置し、その後、第三円環部材１２の直下部分に、被覆部材６の上から絞り部材１６ａを固定することで、円錐状の外観の途中に絞り部１６を形成することが出来る。なお、絞り部材１６ａを固定する位置は、実施例では第三円環部材１２の直下としているが、特に限定されるものではなく、また絞り部の数についても特に限定されるものではなく、形成したい外観に合わせて位置や数を変更する事が出来る。
【００３４】  被覆部材６はネット状のシートを使用している。そのため、ワイヤ１１上を覆った状態でも、隙間部分が多く存在しており、ネットの隙間部分にさまざまなイルミネーションや装飾品を配設することが出来る。クリスマスの時期であれば、ネット全体に小さい枝や木々等を配設することで、モミの木の代わりとして使用する事ができ、枝や木々の上から装飾品を配設することで、クリスマスツリーのような外観を得ることが出来る。またその際、図９に示すように、被覆部材の内側に形成される内部空間２０にドライアイスの入った容器を設置し、ドライアイスから出る冷気を、配管１９を通して支柱上部に供給し、固定部材５付近に設置したノズル２１から冷気を噴射させると、被覆部材６の表面を冷気が滑り落ちていくことで、ツリー全体に冷気を纏わせる事が出来る。
【００３５】  また、例えばまだ蕾の状態の桜の花等を、ネット上に配設し、内部からヒータ等で暖気した空気をツリー全体に送ることで、桜の花の開花を促進し、ツリー上で開花、満開状態にある程度コントロールすることも出来る。
【００３６】  内部空間２０に配置する機器は特に限定される事は無く、ツリー構造に施す仕掛け等に合わせて必要な機器、例えばクーラ、ヒータ等の温度調節機、蒸気（ミスト）発生器（加湿器）、ガス発生器、等を設置すればよい。また、温度や湿度を調節するもの以外にも、音響機器等を設置して、音楽等を流す等をすることも出来る。
【００３７】  他にも、内部空間２０に光源（図示無し）を設置し、被覆部材６の一部に穴（図示無し）を空け、窓から光が漏れるようにしたり、被覆部材６に光を有る程度透過するような生地を選択して、光源から文字や絵を被覆部材６の内側に投影することで、被覆部材６の外部に文字や絵が見えるようにしても良い。
【００３８】  生花や枝等を長期間維持するため、図１０のような、ネットや布状の被覆部材６に引っ掛けることが出来る鉤部２２ｂを持つホルダ２２を用いても良い。ホルダ２２には、水を入れる事が出来る水受け部２２ａがあり、水受け部２２ａに生花や枝を挿しておくことで、長期間維持することが出来る。ホルダ２２の形状は、生花が１本挿せる程度のものから、複数の生花や枝等を配設することができるような大きなサイズのものまで様々である。
【００３９】  ネット状の被覆部材６なら何所にでも引っ掛けることが可能であるが、布状の場合は、予め特定の場所にホルダ２２を設置出来る穴部２３を形成しておく。穴部２３には、ホルダ２２の鉤部２２ｂが引っ掛ける事が出来る取り付け部を形成しておくと良い。
【００４０】  被覆部材６をネット状のシートではなく、スポンジ状のシートにして、あらかじめ生花等を挿すことの出来る穴を形成しておく事で、ホルダが無くても生花や枝に水を供給することも可能となる。もしくは、ネット状の被覆部材６の内側に蒸気発生器１８を配設し、蒸気を被覆部材内側全体に供給することで、ネット上に配設された生花や枝に対して水分を供給することが出来る。また、撥水性のある布を用いることで、被覆部材６に水滴等が残らないようにしても良い事は勿論である。
【００４１】  蒸気発生器１８で蒸気を供給する際、水に香り成分を含有させたり、香りを発生させる装置（図示無し）を配置しておくことで、ツリー全体から周辺へ芳香を放つようにすることも出来る。
【産業上の利用可能性】
【００４２】  本発明を使用することで、ツリー構造の表面形状を任意に変更することが出来るので、色々な外観に変形することが可能であり、様々な装飾を行う事が出来る。また、装飾品に制限は無いので、色々な生花や木々を飾ることで、一年を通じて、色々な展示を行う事が出来る。
【符号の説明】
【００４３】１      ツリー構造
２      支柱
３      底面部材
４ａ    第一円環部材
４ｂ    第二円環部材
４ｃ    支持柱
４ｄ    支持柱
４ｅ    支柱台
５      固定部材
５ａ〜５ｎ  ワイヤ固定穴
６      被覆部材
７      キャスタ
８      伸長調節構造
８ａ    筒部
９      ボルト
１０    ワイヤ取付部
１１    ワイヤ
１２    第三円環部材
１３    支持柱
１４    棒固定台
１５    棒状突起
１６    絞り部
１６ａ  絞り部材
１７    ヒータ（温度調節機）
１８    冷気（蒸気）発生器
１９    配管
２０    内部空間
２１    ノズル
２２    ホルダ
２２ａ  水受け部
２２ｂ  鉤部
２３    被覆部材に形成した穴
【図１】
2013150760.tif 000003
【図２】
2013150760.tif 000004
【図３】
2013150760.tif 000005
【図４】
2013150760.tif 000006
【図５】
2013150760.tif 000007
【図６】
2013150760.tif 000008
【図７】
2013150760.tif 000009
【図８】
2013150760.tif 000010
【図９】
2013150760.tif 000011
【図１０】
2013150760.tif 000012